(57)【特許請求の範囲】
【請求項１】
窓障子の上縁に沿って延びる押出型材からなり屋内と屋外とを連通させる換気通路を有する本体と、この本体の換気通路を開閉する開閉手段と、本体の左右端にそれぞれ固定されたビスホール部材と、上記本体の左右端の少なくとも一方に取り付けられ、対応するビスホール部材を覆う主部を有する樹脂製キャップとを備え、
上記左右一対のビスホール部材間に上記換気通路が形成され、本体の長手方向から見た時に、これらビスホール部材と換気通路の少なくとも一部が重なっており、
上記ビスホール部材は本体の長手方向に延びるビスホールを有し、上記キャップの主部はビス挿通用の貫通穴を有しており、この貫通穴は、本体の長手方向から見た時に上記ビスホールと重なる位置にあり、
窓障子の左右の縦框の上端部を貫通する主ビスが、上記ビスホール部材のビスホールにねじ込まれることにより、上記左右の縦框に固定され、上記キャップでは、上記主ビスが上記ビス挿通用の貫通穴を通る換気装置において、
少なくとも上記キャップに対応する上記ビスホール部材は、その外面に係止爪を有し、上記キャップは上記本体に向かって本体の長手方向に延びる弾性爪を有し、上記キャップを上記本体に向かって押し込んだ時に上記弾性爪が上記ビスホール部材の係止爪に当たって本体の長手方向と直交する方向に弾性変形し、上記キャップをさらに押し込んだ時に上記弾性爪が元の形状に復帰して上記係止爪に係止され、これにより上記キャップが上記本体に取り付けられ、
上記弾性爪は、上記本体の長手方向および当該弾性爪の弾性変形方向と直交する方向に並んだガイド面と凹部とを有し、上記ガイド面は本体の長手方向に対して傾斜しており、上記凹部は先端側に係止面を有し、
上記弾性爪と上記ビスホール部材の係止爪の係止状態では、上記係止爪が上記弾性爪の凹部に入り込むとともに、上記係止面に係止し、
さらに上記キャップの主部は、上記弾性爪に隣接して解除ピン挿通用の貫通穴を有し、この貫通穴は、本体の長手方向から見た時に上記ガイド面と重なる位置にあり、この貫通穴から解除ピンを差し込んでその先端部を上記弾性爪のガイド面に当て、さらに解除ピンを押し込むことにより、上記弾性爪を弾性変形させて上記ビスホール部材の係止爪との係止状態を解除できることを特徴とする換気装置。
【請求項２】
上記係止爪は上記ビスホール部材の屋内側または屋外側の側面に形成され、上記キャップの弾性爪は屋内・屋外方向に弾性変形可能であることを特徴とする請求項１に記載の換気装置。
【請求項３】
上記係止爪は、上記本体の長手方向に離れて一対形成され、これら係止爪は対称形をなし、互いに対向する側に本体の長手方向と直交する係止面を有し、その反対側に本体の長手方向に対して傾斜するガイド面を有することを特徴とする請求項１または２に記載の換気装置。
【発明の詳細な説明】
【技術分野】
【０００１】
本発明は、窓障子の上縁に装着される換気装置に関する。
【背景技術】
【０００２】
窓障子の上縁に装着される換気装置は公知である。この種の換気装置には、上框一体型（上框を兼用するタイプ）と上框別体型（上框と別体をなして上框に嵌め込まれるタイプ）がある。いずれのタイプの換気装置でも、窓障子の上縁に沿って延びる押出型材からなり屋内と屋外とを連通させる換気通路を有する本体と、この換気通路を開閉する開閉手段と、本体の左右両端に取り付けられたキャップとを備えている。
【０００３】
上框一体型の換気装置の場合、上記本体の両端を窓障子の左右の縦框の上端部に固定する必要がある。また、上框別体型の換気装置でも風が強い地域では上記本体の両端を左右の縦框に固定することが要求される。
そのため、上記本体はビスホール部を有し、縦框の上端部を貫通するとともにキャップを貫通するビスを、このビスホール部の端部にタッピングしながらねじ込むことにより、本体を縦框に固定するようになっている。
【０００４】
ところで、上記本体は押出型材からなるので、ビスホール部は本体の全長にわたって延びている。このビスホール部が換気通路に面している場合には、換気通路の流通断面積を減じることになる。そのため、換気通路の流通断面積を確保しようとすると、ビスホール部の分だけ寸法を余計に確保しなければならず、換気装置の大型化を招く。
最近、窓障子の採光性や意匠性の観点から、換気装置の見付け（縦幅）を小さくすることが要求されているが、上記構成ではこの要求に答えることができない。
【０００５】
そこで、本出願人は、特許文献１に示す換気装置を開発した。この換気装置では、本体の両端にそれぞれ本体と別体をなすビスホール部材が固定されている。窓障子に組み込む際には、主ビスを縦框および上記キャップに通し、上記ビスホール部材のビスホールにねじ込むことにより、換気装置を縦框に固定するようになっている。
【０００６】
上記構成によれば、左右一対のビスホール部材間に換気通路が形成され、本体の長手方向から見た時に、これらビスホール部材と換気通路の少なくとも一部が重なるようになっており、換気通路と干渉する長いビスホール部を本体に形成しなくて済むため、換気通路の流通断面積を十分に確保しながら換気装置の小型化を実現することができる。
【０００７】
特許文献１では、上記キャップを本体へ取り付ける構成は下記の通りである。キャップは本体の両端開口を塞ぐ主部と、この主部から本体の長手方向に換気通路に向けて突出する受け凸部を有している。他方、上記ビスホール部材は本体の長手方向に延びる受面を有している。副ビスを、上記キャップの主部に通し、キャップの受け凸部の面とビスホール部材の受面との間に、タッピングしながらねじ込むことにより、キャップを本体に取り付ける。
【先行技術文献】
【特許文献】
【０００８】
【特許文献１】特開２００８−１５６９７６号公報
【発明の概要】
【発明が解決しようとする課題】
【０００９】
特許文献１では、キャップを副ビスのねじ込みによって本体に取り付けるため、その作業性が低かった。
【課題を解決するための手段】
【００１０】
上記課題を解決するため、本発明は、  窓障子の上縁に沿って延びる押出型材からなり屋内と屋外とを連通させる換気通路を有する本体と、この本体の換気通路を開閉する開閉手段と、本体の左右端にそれぞれ固定されたビスホール部材と、上記本体の左右端の少なくとも一方に取り付けられ、対応するビスホール部材を覆う主部を有する樹脂製キャップとを備え、上記左右一対のビスホール部材間に上記換気通路が形成され、本体の長手方向から見た時に、これらビスホール部材と換気通路の少なくとも一部が重なっており、
上記ビスホール部材は本体の長手方向に延びるビスホールを有し、上記キャップの主部はビス挿通用の貫通穴を有しており、この貫通穴は、本体の長手方向から見た時に上記ビスホールと重なる位置にあり、窓障子の左右の縦框の上端部を貫通する主ビスが、上記ビスホール部材のビスホールにねじ込まれることにより、上記左右の縦框に固定され、上記キャップでは、上記主ビスが上記ビス挿通用の貫通穴を通る換気装置において、
少なくとも上記キャップに対応する上記ビスホール部材は、その外面に係止爪を有し、上記キャップは上記本体に向かって本体の長手方向に延びる弾性爪を有し、上記キャップを上記本体に向かって押し込んだ時に上記弾性爪が上記ビスホール部材の係止爪に当たって本体の長手方向と直交する方向に弾性変形し、上記キャップをさらに押し込んだ時に上記弾性爪が元の形状に復帰して上記係止爪に係止され、これにより上記キャップが上記本体に取り付けられることを特徴とする。
【００１１】
上記構成によれば、窓障子の縦框に固定するためのビスホール部材を本体の換気通路の両端に配置することにより装置の小型化を図ることができるとともに、ビスホール部材の係止爪とキャップの弾性爪との係止により、作業性良くキャップを本体に取り付けることができる。
【００１２】
好ましくは、上記弾性爪は、上記本体の長手方向および当該弾性爪の弾性変形方向と直交する方向に並んだガイド面と凹部とを有し、上記ガイド面は本体の長手方向に対して傾斜しており、上記凹部は先端側に係止面を有し、上記弾性爪と上記ビスホール部材の係止爪の係止状態では、上記係止爪が上記弾性爪の凹部に入り込むとともに、上記係止面に係止し、さらに上記キャップの主部は、上記弾性爪に隣接して解除ピン挿通用の貫通穴を有し、この貫通穴は、本体の長手方向から見た時に上記ガイド面と重なる位置にあり、この貫通穴から解除ピンを差し込んでその先端部を上記弾性爪のガイド面に当て、さらに解除ピンを押し込むことにより、上記弾性爪を弾性変形させて上記ビスホール部材の係止爪との係止状態を解除する。
この構成によれば、キャップを本体に取り付けて換気装置の組立を完了した後でも、開閉動作試験等で不具合が生じた時には、解除ピンを用いてキャップの弾性爪とビスホール部材の係止爪の係止状態を解除して、換気装置を分解することができ、不具合箇所を修理ないし部品交換した後、再組み立てすることができる。
【００１３】
好ましくは、上記係止爪は上記ビスホール部材の屋内側または屋外側の側面に形成され、上記キャップの弾性爪は屋内・屋外方向に弾性変形可能である。
これによれば、係止爪によりビスホール部材の縦寸法が増大することがなく、換気装置の縦寸法の増大を抑制できる。
【００１４】
好ましくは、上記係止爪は、上記本体の長手方向に離れて一対形成され、これら係止爪は対称形をなし、互いに対向する側に本体の長手方向と直交する係止面を有し、その反対側に本体の長手方向に対して傾斜するガイド面を有する。
この構成によれば、左右のビスホール部材について、共通のビスホール部材を用いることができる。
【発明の効果】
【００１５】
本発明によれば、窓障子の縦框に固定するためのビスホール部材を本体の換気通路の両端に配置することにより装置の小型化を図ることができるとともに、ビスホール部材の係止爪とキャップの弾性爪との係止により、作業性良くキャップを本体に取り付けることができる。
【図面の簡単な説明】
【００１６】
【図１】（Ａ）は本発明に係わる換気装置を組み込んだ窓障子の上端部の正面図である。（Ｂ）は同左側面図である。
【図２】図１におけるII−II矢視断面図である。
【図３】図１におけるIII−III矢視断面図である。
【図４】同換気装置の左側面図である。
【図５】同換気装置においてビスホール部材を取り付けた本体の第２型材の要部拡大底面図である。
【図６】同換気装置の本体とキャップを分解して示す要部拡大正面図である。
【図７】同換気装置のビスホール部材とキャップを、屋内方向から見た分解斜視図である。
【図８】同換気装置のビスホール部材とキャップを、屋外方向から見た分解斜視図である。
【図９】同換気装置のビスホール部材とキャップの要部拡大平断面図であり、（Ａ）は連結前の状態を示し、（Ｂ）は連結後の状態を示す。
【図１０】同換気装置において、ビスホール部材とキャップの連結を解除する工程を順に説明する要部拡大平断面図であり、（Ａ）は解除ピンを差し込む前の状態を示し、（Ｂ）、（Ｃ）は解除ピンの差し込みによりキャップの弾性爪が変形する過程を示し、（Ｄ）は解除ピンの差し込みが完了してキャップの弾性爪がビスホール部材の係止爪から外れた状態を示す。
【発明を実施するための形態】
【００１７】
以下、本発明の一実施形態をなす換気装置を、図面を参照しながら説明する。図１に示すように、この換気装置５は上框一体型であり、窓障子１の上框を兼用しており、その左右両端が窓障子１の左右の縦框２、３の上端部にそれぞれ連結されている。
【００１８】
図２に示すように、上記換気装置５は本体１０を備えており、この本体１０は、アルミ製（金属製）の押出型材からなる第１、第２の型材１１、１２を互いに組み付けることにより構成されている。
【００１９】
上記第１型材１１は、窓障子のガラス製障子体４を呑み込む障子体呑み込み部１１ａと、この障子体呑み込み部１１ａから起立して屋内側に臨む正面壁１１ｂと、この正面壁１１ｂの上端から屋外に向かって突出する支持連結部１１ｃとを有している。上記正面壁１１ｂには多数の通気口１１ｘが長手方向に間隔をおいて形成されている。
【００２０】
上記第２型材１２は、窓枠の上側のレール９を呑み込むレール呑み込み部１２ａと、このレール呑み込み部１２ａの屋外側の縁から垂下する背面壁１２ｂとを有している。この背面壁１２ｂには、多数の通気口１２ｘが長手方向に間隔をおいて形成されている。
上記第２型材１２のレール呑み込み部１２ａにおける屋内側の壁の上端を、上記第１型材１１の支持連結部１１ｃに嵌め込み、背面壁１２ｂの下端を第１型材１１の障子体呑み込み部１１ａの屋外側の角部に嵌め込むことにより、第２型材１２が第１型材１１に連結されている。
【００２１】
上記第１型材１１と第２型材１２との間には内部空間が形成されており、この内部空間の大部分が換気通路１３として提供されている。この換気通路１３は、屋内側の通気口１１ｘと屋外側の通気口１２ｘに連なっている。
上記換気通路１３は断面Ｌ字形をなしており、その垂直部分１３ａ（第１部分）は、第１型材１１の正面壁１１ｂと第２型材１２のレール呑み込み部１２ａの屋内側の壁との間に形成されており、その水平部分１３ｂ（第２部分）は、第１型材１１の障子体呑み込み部１１ａの上壁と第２型材１２のレール呑み込み部１２ａの底壁との間に形成されている。
【００２２】
上記第１型材１１には、正面壁１１ｂの屋内側の面を覆うようにして、カバー１４が取り付けられている。このカバー１４には多数の通気口１４ｘが長手方向に間隔をおいて形成されている。カバー１４と正面壁１１ａとの間にはフィルタ１５が介在されている。したがって、第１型材１１の通気口１１ｘはフィルタ１５およびカバー１４の通気口１４ｘを介して屋内空間に連なるようになっている。
理解を助けるために、図２において屋内、屋外間の空気の流れを矢印で示す。
【００２３】
上記換気通路１３の水平部分１３ｂは、障子体呑み込み部１１ａとレール呑み込み部１２ａの間に配置されており、その縦寸法は換気装置５全体の見付けＨ（縦幅）を決定する。本実施形態では、後述するように換気通路１３の水平部分１３ｂが最小限またはそれに近い縦寸法となっており、換気装置５の見付けＨが従来に比べて小さくなっている。
その結果、この換気装置５の見付けＨは、換気装置５を装着しない窓障子の上框と等しくすることもでき、採光性、意匠性を向上させることができる。
【００２４】
図１に示すように、上記第１型材１１の端部例えば右端部には正面壁１１ａを覆いカバー１４と並んで横長をなす支持板１６が取り付けられている。この支持板１６には操作つまみ２１が左右方向にスライド可能に支持されている。操作つまみ２１は、屋外側に突出する凸部２１ａ（図２参照）を有している。
【００２５】
図２に示すように、換気通路１３の垂直部分１３ａには、開閉板２２が収容されている。この開閉板２２の上端軸部２２ａは、第１型材１１の支持連結部１１ｃに回動可能かつ軸方向スライド可能に支持されている。開閉板２２の端部には穴が形成され、この穴に上記操作つまみ２１の凸部２１ａが嵌っており、これにより、開閉板２２は操作つまみ２１のスライド操作に伴いスライドするようになっている。
【００２６】
上記開閉板２２の下縁の例えば２箇所には下方に突出する突起（図示しない）が形成されており、これら突起は２つのカム部材（図示しない）の上面に形成された傾斜溝にそれぞれ挿入されている。これらカム部材は換気通路１３に配置されている。これにより開閉板２２は、操作つまみ２１の左右方向へのスライド操作に伴い軸方向にスライドすると、上記突起とカム部材の傾斜溝とのカム作用により、正面壁１１ｂに接した閉じ位置と、正面壁１１ｂから離れた開き位置との間で揺動するようになっている。
【００２７】
上記操作つまみ２１、開閉板２２、カム部材により、換気通路１３を開閉するための開閉手段２０を構成している。この開閉手段２０は周知であるので、詳細な説明は省略する。なお、開閉手段として、揺動可能な開閉板２２の代わりに、正面壁１１ｂの屋外側の面に接したまま本体１０の長手方向にスライドする開閉板を用いてもよいことは勿論である。ちなみに、このスライド式開閉板は正面壁１１ｂの通気口１１ｘと等ピッチの通気口を有する。
【００２８】
図６に示すように換気装置５は、本体１０の左右両端に固定されたビスホール部材４０と、このビスホール部材４０を覆うようにして本体１０の左右両端に取り付けられた樹脂製のキャップ３０を有している。以下、詳述する。
【００２９】
図６に示すように、第２型材１２の両端部が第１型材１１より長手方向に突出している。この第２型材１２の両端部に、ビスホール部材４０が固定されている。
このビスホール部材４０は、短いアルミ製（金属製）の押出型材からなり、図７、図８に最も良く示されているように、ほぼ水平をなす基部４１と、基部４１の屋内側の縁部に連なるビスホール部４２と、基部４１の屋外側の縁から起立する第１リブ４３と、基部４１の中間部から起立する第２リブ４４と、ビスホール部４２の屋内側の面（外面）の長手方向中央部から突出する係合舌部４５と、当該面の長手方向両端部から突出する一対の係止爪４６とを有している。
上記ビスホール部４２はビスホール４２ａを有している。本実施例ではビスホール４２ａの内周には複数の突条が長手方向に沿って形成されている。
【００３０】
図５、図６に示すように、上記ビスホール部材４０は、第２型材１２にほぼ端を揃えて固定されている。ビスホール部材４０は、屋内側から見て一部が第１型材１１に覆われており、残りの部分が第２型材１２とともに第１型材１１から突出している。
【００３１】
上記ビスホール部材４０の第２型材１２への固定について説明する。図７，図８に示すように、第２リブ４４は２箇所において切り欠かれており、この切欠箇所に対応する基部４１には貫通穴４７が形成されている。図３、図５に示すように、この貫通穴４７に下から垂直にビス５０（固定ビス）が貫通し、第２型材１２のレール呑み込み部１２ａの底壁にねじ込まれることにより、ビスホール部材４０が第２型材１２の底壁に固定されている。
【００３２】
なお、左右のビスホール部材４０は、次の順序で固定される。最初に第２型材１２を第１型材１１に対してスライドさせて一方の端部を大きく突出させ、この突出端部に一方のビスホール部材４０を固定する。次に、一方のビスホール部材４０が、第１型材１１の係止溝１１ｄにかしめ固定されたカム部材に当たるまで、第２型材１２をスライドさせることにより、他方の端部を大きく突出させ、この他方の端部に他のビスホール部材４０を固定する。次に、第２型材１２をその両端突出量が等しくなる位置に戻す。
【００３３】
本体１０の両端に固定された左右一対のビスホール部材４０間に、上記換気通路１３の水平部分１３ｂが形成されている。換言すれば、本体１０の長手方向から見た時、ビスホール部材４０と換気通路１３の水平部分１３ｂは重なっている。
【００３４】
図３に示すように、上記ビスホール部材４０の係合舌片４５は、第１型材１１の障子体呑み込み部１１ａの上壁に形成された係合溝１１ｄにはまり込んでいる。
【００３５】
図７、図９（Ａ）に示すように、一対の係止爪４６は、互いに対称形をなしており、ビスホール部４２の屋内側の側面の幅（上下方向の寸法）より小さい薄片からなる。各係止爪４６は、互いに対向する側に本体の長手方向と直交する係止面４６ａを有し、その反対側に本体の長手方向に対して傾斜するガイド面４６ｂを有している。一対の係止爪４６の一方は、後述するようにキャップ３０を固定するために用いられる。
上記係合舌片４５と係止爪４６は、押出型材を切削加工することにより、削り出される。
【００３６】
図４、図７、図８に示すように、上記キャップ３０は、本体１０の断面形状に対応した形状をなす主部３１を有しており、この主部３１は、本体１０の障子体呑み込み部１１ａに対応する障子体呑み込み部３１ａと、本体１０のレール呑み込み部１２ａに対応するレール呑み込み部３１ｂとを有している。
【００３７】
上記主部３１は、本体１０の第１型材１１の端面に当たる第１当接面３１ｘと、第２型材１２の端面に当たる第２当接面３ｙとを有しており、これら当接面３１ｘ，３１ｙにより、上記換気通路１３が塞がれている。
【００３８】
上記第２当接面３１ｙは第１当接面３１ｘより本体１０から遠ざかる位置に配置されており、両当接面３１ｘ、３１ｙ間には、収容凹部３２が形成されている。この収容凹部３２に上記第２型材１２とビスホール部材４０の、第１型材１１から突出する部位が収容され、これによりビスホール部材４０はキャップ３０に覆われている。
【００３９】
図４、図７、図８に示すように、上記キャップ３０の主部３１において、換気通路１３の水平部分１３ｂと対峙する部分には、２つの貫通穴３５、３６が形成されている。貫通穴３５は、横断面が円径をなし本体１０の厚み方向（屋内外方向）の中央近傍に配置されており、貫通穴３６は横断面が長方形をなし貫通穴３５より屋内側に配置されている。
【００４０】
図８に示すように、上記キャップ３０の主部３１には、上記第２当接面３１ｙ近傍から本体１０に向かって本体１０の長手方向に延びる弾性爪３７が形成されている。この弾性爪３７は上記貫通穴３６に隣接し、貫通穴３６の屋内寄りに配置されている。この弾性爪３７は図９の矢印Ａ方向（本体１０の長手方向と直交する方向、屋内・屋外方向）に弾性変形可能である。
【００４１】
図８に示すように、上記弾性爪３７は、上下方向（本体１０の長手方向および弾性爪３７の弾性変形方向と直交する方向）に並んだ、ガイド面３７ａと切欠３７ｂ（凹部）とを有している。本実施形態では、ガイド面３７ａが上に位置し、切欠３７ｂが下に位置している。
【００４２】
上記ガイド面３７ａは、本体１０の長手方向から見た時、上記貫通穴３６の上部と重なる位置にある。上記切欠３７ｂは、本体１０の長手方向から見た時、上記ビスホール部材４０の係止爪４６と重なる位置にある。
【００４３】
図９に示すように、弾性爪３７の切欠３７ｂの本体１０側（先端側）の端には、本体１０の長手方向とほぼ直交する係止面３７ｃが形成されている。
【００４４】
図７、図８に示すように、上記キャップ３０には、本体１０に向かってその長手方向に突出する突起が種々形成されており、これら突起をまとめて符号３３で示す。これら突起３３は本体１０の型材１１，１２によって囲われた空間（換気通路１３を含む）に入り込み、キャップ３０の本体１０に対する位置決めや回り止めをするためのものである。
【００４５】
上記キャップ３０は、予め開閉手段２０を組み込みビスホール部材４０を固定した本体１０の左右両端に取り付けられる。図９（Ａ）、（Ｂ）に示すように、キャップ３０をビスホール部材４０に近づけると、弾性爪３７の先端部がビスホール部材４０の係止爪４６のガイド面４６ｂに案内されて、屋内側に弾性変形され、さらにキャップ３０を押し込むと、弾性爪３７の切欠３７ｂに係止爪４６が入り込み、弾性爪３７が元の形状に復帰する。この状態で、弾性爪３７の係止面３７ｃと係止爪４６の係止面４６ａが互いに係止することにより、キャップ３０の抜け止めがなされ、キャップ３０の取付作業が完了する。
【００４６】
上記のように、キャップ３０の取付に際してビスのねじ込み作業を必要とせず、単にキャップ３０を本体１０に向けて押し込めばよいので、作業性が良い。
なお、ビスホール部材４０を本体１０に固定しないと、キャップ３０を本体１０に装着できないので、ビスホール部材４０の取り付け忘れを確実に防止できる。
【００４７】
上記キャップ３０の取り付けにより換気装置５の組立が完了した後に、例えば開閉板２２の作動試験等を行う。この試験で不具合があった場合には、分解して構成部品の修理や交換を行うことができる。詳述すると、図１０に示すように、解除ピン６０を用いてキャップ３０を本体１０から取り外す。この解除ピン６０は断面矩形をなし、その先端部はテーパをなしている。以下、工程順にキャップ３０の取り外し作業について説明する。
【００４８】
図１０（Ａ）、（Ｂ）に示すように、解除ピン６０をキャップ３０の貫通穴３６の上部に差し込むと、その先端部が弾性爪３７のガイド面３７ａに当たる。
さらに解除ピン６０を押し込むと、図１０（Ｃ）に示すように、解除ピン６０の先端部が弾性爪３７のガイド面３７ａを滑り、この際、弾性爪３７が屋内寄りに弾性変形する。本実施形態では解除ピン６０はビスホール部材４０の側面に接しながら進むので、解除ピン６０は屋外方向へ弾性変形することなく真直状態を維持される。
【００４９】
図１０（Ｄ）に示すように、さらに解除ピン６０を押し込むと、その先端部が弾性爪３７のガイド面３７ａを通り過ぎ、弾性爪３７の弾性変形量が最大となって弾性爪３７の切欠３７ｂからビスホール部材４０の係止爪４６が外れ、係止状態が解除される。なお、解除ピン６０の手元部を屋外側へ変位させることにより、解除ピン６０の先端部を屋内側へ変位させ、弾性爪３７の弾性変形量をより大きくしてもよい。
【００５０】
次に、キャップ３０に解除ピン６０を差し込んだまま、キャップ３０を引き抜くことにより、キャップ３０を本体１０から外す。さらにビス５０を緩めてビスホール部材５０を本体１０から外すこともできる。不具合のあった部品を修理または交換した後、前述したよう再度組み立てる。
【００５１】
建築現場または工場において、上記換気装置５を組み込んだ窓障子１を製造する。この際、換気装置５の障子体呑み込み部１１ａに障子体４を嵌めた状態で、縦框２、３の上端部を換気装置５の両端に固定する。詳述すると、ビス５２（主ビス）を縦框２の上端部に形成された貫通穴（図示しない）から差し込む。このビス５２はキャップ３０の貫通穴３５を通ってビスホール部材４０のビスホール４２ａに至る。ビス５２をねじ込むとビス５２はビスホール４２ａをタッピングしながらねじ込まれる。これにより、縦框２、３の上端部に上框としての換気装置５が固定される。
【００５２】
上記構成をなす換気装置５では、本体１０の長手方向から見た時、本体１０の換気通路１３の水平部分１３ｂに重なる位置で縦框２、３にビス止めする場合でも、換気通路３の水平部分１３ｂに臨むビスホール部を本体１０に形成する代わりに、本体１０の両端にビスホール部材４０を取り付けるようなっており、これにより、水平部分１３ｂの縦寸法を大きくせずに、水平部分１３ｂの流通断面積を十分に確保することができ、換気装置５の見付けＨを小さくすることができる。
【００５３】
本発明は上記実施形態に制約されず、種々の形態を採用可能である。例えば、ビスホール部材４０には左右の互換性を持たせるために左右一対の係止爪４６を設けているが、係止爪４６は一つであってもよい。
係止爪４６は、ビスホール部材４０の屋外側の側面に形成してもよいし、ビスホール部材の外面の他の領域に形成してもよい。
【００５４】
ビスホール部材４０は第１型材１１の端部に固定してもよい。ビスホール部材４０は、本体１０の端部において本体の長手方向に延び換気通路１３に臨むいずれの面に固定してもよい。
ビスホール部材４０の係止爪のガイド面の代わりにまたはこのガイド面に加えて、弾性爪の先端部に、係止爪に当たる傾斜したガイド面を形成してもよい。
【００５５】
ビスホール部材のビスホールには予め雌ねじを形成してもよい。ビスホール部材はアルミより硬いスチール等の金属で構成してもよい。
換気装置本体は、１つまたは複数の押出型材により構成されるものを全て含む。
【００５６】
キャップは本体の左右端のいずれか一方だけに取り付けてもよい。この場合には、キャップに対応するビスホール部材だけに係止爪を形成してもよい。
本発明の換気装置は、上框別体型にも適用できる。この場合、下側に障子体呑み込み部が形成され、上側には窓障子の上框にはめ込まれる嵌合部が形成される。
【符号の説明】
【００５７】
１  窓障子
２，３  縦框
４  障子体
５  換気装置
９  レール
１０  本体
１３  換気通路
３０  キャップ
３５  ビス挿通用の貫通穴
３６  解除ピン挿通用の貫通穴
３７  弾性爪
３７ａ  ガイド面
３７ｂ  切欠（凹部）
３７ｃ  係止面
４０  ビスホール部材
４２  ビスホール部
４２ａ  ビスホール
４６  係止爪
４６ａ  係止面
４６ｂ  ガイド面
５２  ビス（主ビス）
６０  解除ピン
【図１】
0005581039.tif 000002
【図２】
0005581039.tif 000003
【図３】
0005581039.tif 000004
【図４】
0005581039.tif 000005
【図５】
0005581039.tif 000006
【図６】
0005581039.tif 000007
【図７】
0005581039.tif 000008
【図８】
0005581039.tif 000009
【図９】
0005581039.tif 000010
【図１０】
0005581039.tif 000011